【手続補正書】
【提出日】平成28年7月29日(2016.7.29)
【手続補正１】
【補正対象書類名】特許請求の範囲
【補正対象項目名】全文
【補正方法】変更
【補正の内容】
【特許請求の範囲】
【請求項１】
計算装置上で患者情報を提示する方法であって、
ウェブポータルを動作させる通信ネットワーク内のコンピュータ又はコンピュータシステムの１つ又は複数のコンピュータプロセッサを使用して、患者の健康情報を処理することであって、前記健康情報は、分析物測定装置から測定された前記患者の分析物レベル及び健康関連因子を含む、処理することと、
前記処理された健康情報の少なくともいくらかをユーザの計算装置上で提示し、ユーザが対話できるようにする、前記ウェブポータルに基づくインタラクティブユーザインタフェースを提供することであって、前記インタラクティブユーザインタフェースは、前記処理された健康情報を編成する複数のデータモジュールを含む、提供することと、
を含み、
前記データモジュールは、
前記測定された分析物レベルの最近の測定値及び履歴のうちの一方又は両方を提供する分析物レベルモジュールと、
薬剤名又は識別子、服用された薬剤のタイプ、服用の日時、及び服用された投与量のうちの少なくとも１つを含む、前記患者が服用する１つ又は複数の薬剤の薬剤データを提供する薬剤モジュールと、
前記患者による炭水化物摂取データを提供する栄養モジュールと、
前記ユーザの歩数又は前記ユーザによって行われた運動の持続時間のうちの少なくとも一方を含むフィットネスデータを提供するフィットネスモジュールと、
を含む、方法。
【請求項２】
前記データモジュールのうちの少なくとも１つにおける前記健康情報に対応する閾値を含む患者目標情報を受信し、前記患者目標情報を処理して、前記対応する健康情報に関して前記閾値を分析すること、
前記分析物測定装置から前記通信ネットワーク内の前記コンピュータ又は前記コンピュータシステムに通信リンクを介して、前記患者の歩数を記録する前記分析物測定装置の歩数計ユニットによって収集された歩数データを取得することであって、前記取得された歩数データは、前記フィットネスモジュール内に編成されること、
前記分析物測定装置の前記通信ネットワーク内の前記コンピュータ又はコンピュータシステムにより、通信リンクを介して、前記分析物測定装置内の消耗品構成要素の量を監視すること、
前記分析物測定装置の前記通信ネットワーク内の前記コンピュータ又はコンピュータシステムにより、通信リンクを介して、前記分析物測定装置の位置情報を監視し、前記分析物測定装置が異なるタイムゾーンに入るときを認識し、前記異なるタイムゾーンに基づいて、プログラムされた警告及び時間スタンプ情報を更新すること、
前記通信ネットワーク内の前記コンピュータ又はコンピュータシステムから通信リンクを介して、前記ウェブポータルのデータのデータ更新を前記分析物測定装置に送信することであって、前記データ更新は、処方情報、食事情報、患者目標情報、又はユーザ設定若しくはプロフィール情報のうちの少なくとも１つを含むこと、
のうちの１つ又は複数を更に含む、請求項１に記載の方法。
【請求項３】
前記インタラクティブユーザインタフェースは、前記ユーザが、（１）ユーザ選択の時間スパンに基づいて前記健康情報のデータ履歴を選択すること、（２）前記分析物測定装置の設定を個人化すること、（３）前記データモジュール内の前記健康情報の特定のデータにフラグを付けること、又は（４）前記データモジュール内の前記健康情報の特定のデータに関連する質問を提出することのうちの１つ又は複数を実行できるようにする、請求項１に記載の方法。
【請求項４】
前記患者目標情報は、前記複数のデータモジュールの目標モジュール内に編成される、請求項２に記載の方法。
【請求項５】
前記健康情報のデータ値が前記対応する閾値を超える場合、警告を生成すること、
前記消耗品構成要素の量が所定の最小閾値に達するときを特定すること、
前記量に基づいてある数量の前記消耗品構成要素を注文することであって、前記注文することは、前記分析物測定装置、前記ウェブポータルを動作させる前記コンピュータ又は前記コンピュータシステム、又は前記ウェブポータルと通信するアプリケーションを操作するモバイルコンピュータ装置のうちの少なくとも１つによって実行されること、
のうちの１つ又は複数を更に含む、請求項２に記載の方法。
【請求項６】
前記インタラクティブユーザインタフェースを提供することは、前記計算装置の表示画面に、（ｉ）前記データモジュールのそれぞれの概要健康情報、（ｉｉ）前記データモジュールのうちの１つ又は複数からの前記健康情報のグラフィック分析、及び（ｉｉｉ）前記グラフィック分析として表示する前記健康情報を選択するための、前記データモジュールに対応する選択ボタンを表示することを含み、前記表示されるグラフィック分析は、前記ユーザがテキスト、画像、又はオーディオデータのうちの少なくとも１つを追加できるようにするユーザインタラクティブタグを含んでもよい、
請求項１に記載の方法。
【請求項７】
前記薬剤モジュールの前記薬剤データは、前記患者による前記１つ又は複数の薬剤の服用についての指示を含む、請求項１に記載の方法。
【請求項８】
前記複数のデータモジュールは、
（ｉ）テキスト、画像、又はオーディオデータを含むユーザ入力データ、及び（ｉｉ）前記計算装置の表示画面に表示される前記インタラクティブユーザインタフェースのスナップショット画像のうちの一方又は両方を含むジャーナルデータを提供するジャーナルモジュールと、
ユーザ選択に基づいて、テーブル、テキストでの説明、グラフ、又はそれらの組み合わせを含む前記健康情報のうちの少なくともいくらかを外部ファイルにエクスポートするリポートモジュールであって、前記ユーザは、前記外部ファイルに含める前記健康情報の時間期間及びタイプを選択するリポートモジュールと、
のうちの１つ又は複数を含む、請求項１に記載の方法。
【請求項９】
前記インタラクティブユーザインタフェースを提供することは、
前記計算装置の表示画面に、（ｉ）ユーザが前記ユーザ入力データのテキストを入力できるようにするダイアログボックス、（ｉｉ）前記ジャーナルデータが前記ジャーナルモジュールに入力された対応する日時を有する前記ジャーナルデータのリスト、及び（ｉｉｉ）ユーザが前記ジャーナルデータ内で検索するテキストを入力できるようにするか、又は前記ジャーナルデータ内で検索するキーワードをキーワードリストから選択できるようにする検索ボックスを表示すること、
前記コンピュータ装置の表示画面に、前記外部ファイルに含める所定の健康情報を含むリポートフォーマットの選択可能リストを表示すること、
のうちの１つ又は複数を含む、請求項８に記載の方法。
【請求項１０】
前記測定される分析物レベルは血糖値を含み、前記１つ又は複数の薬剤はインスリンを含み、前記健康情報を処理することは、前記健康情報を分析して、実測血糖値とその変動レベルとの相関及び前記実測血糖値と、炭水化物消費、注入されたインスリン量、前記患者が服用する非インスリン薬剤、運動量、ストレスの発現、又は疾患の発現のうちの１つ又は複数を含む前記健康関連因子との相関を特定することを含む、請求項１に記載の方法。
【請求項１１】
前記相関を処理して、特定のデータ値が所定の閾値を超える場合、警告を生成することであって、前記特定のデータ値は前記血糖値を含むこと、
前記相関を処理して、事象が予期されるときに発生しない場合、警告を生成すること、のうちの１つ又は複数を更に含む、請求項１０に記載の方法。
【請求項１２】
前記警告は、テキストメッセージ、電話呼、電子メール、又は計算装置若しくは前記分析物測定装置のアプリケーションでの視覚的メッセージ若しくはオーディオアラームのうちの１つ又は複数の形態である、請求項１１に記載の方法。
【請求項１３】
前記インタラクティブユーザインタフェースは、前記患者の前記健康情報を管理するために前記患者がアクセスする患者アクセス可能インタフェースと、前記患者及び１人又は複数の他の患者の前記健康情報を管理するために医療提供者又は介護者がアクセスする介護者アクセス可能インタフェースとを含む、請求項１に記載の方法。
【請求項１４】
コードを記憶したコンピュータ可読記憶媒体を備えるコンピュータプログラム製品であって、前記コードは、実行されると、通信ネットワーク内のコンピュータ又はコンピュータシステムのプロセッサに、ウェブポータルを介してユーザ装置上で患者情報を提示する方法を実装させ、前記コンピュータプログラム製品は、前記コンピュータ又はコンピュータシステムによって動作して、前記方法を実装し、前記方法は、
分析物測定装置から測定される分析物レベル及び健康関連因子を含む患者の健康情報を処理することであって、前記健康情報は、通信リンクを介して前記通信ネットワーク内の前記コンピュータ又はコンピュータシステムによって取得される、処理することと、
前記処理された健康情報の少なくともいくらかをユーザによって操作される計算装置上で提示し、ユーザが対話できるようにする、前記ウェブポータルに基づくインタラクティブユーザインタフェースを提供することであって、前記インタラクティブユーザインタフェースは、前記処理された健康情報を編成する複数のデータモジュールを含む、提供することと、
を含み、
前記データモジュールは、
前記測定された分析物レベルの最近の測定値及び履歴のうちの一方又は両方を提供する分析物レベルモジュールと、
薬剤名又は識別子、服用された薬剤のタイプ、服用の日時、及び服用された投与量のうちの少なくとも１つを含む、前記患者が服用する１つ又は複数の薬剤の薬剤データを提供する薬剤モジュールと、
前記患者による炭水化物摂取データを提供する栄養モジュールと、
前記ユーザの歩数又は前記ユーザによって行われた運動の持続時間のうちの少なくとも一方を含むフィットネスデータを提供するフィットネスモジュールと、
を含む、コンピュータプログラム製品。
【請求項１５】
前記インタラクティブユーザインタフェースを提供することは、前記計算装置の表示画面に、（ｉ）前記データモジュールのそれぞれの概要健康情報、（ｉｉ）前記データモジュールのうちの１つ又は複数からの前記健康情報のグラフィック分析、（ｉｉｉ）前記グラフィック分析の近傍に提示される時間タグ付きデータとして、テキスト、画像、又はオーディオデータのうちの少なくとも１つをユーザが追加できるようにする、前記データモジュールに対応するタグの選択リスト、及び（ｉｖ）前記グラフィック分析として表示する前記健康情報を選択するための、前記データモジュールに対応する選択ボタンを表示することを含む、請求項１４に記載のコンピュータプログラム製品。
【請求項１６】
健康管理システムであって、
分析物の濃度レベルを測定する分析物監視装置と、
デスクトップコンピュータ、ラップトップコンピュータ、又はスマートフォン若しくはタブレットを含むモバイル通信装置のうちの少なくとも１つを含む計算装置と、
前記分析物監視装置及び前記計算装置と通信する計算システムであって、前記計算システムは、メモリユニット及び測定された分析物濃度レベル及び健康関連因子を含む患者の健康情報を含むデータを処理するように構成されるプロセッサを備える、計算システムと、
を備え、
前記計算システムは、前記処理された健康情報のうちの少なくともいくらかをユーザの前記計算装置上で提示し、ユーザが対話できるインタラクティブユーザインタフェースを提供するように構成されており、前記インタラクティブユーザインタフェースは、前記処理された健康情報を編成する複数のデータモジュールを含み、前記データモジュールは、
前記測定された分析物レベルの最近の測定値及び履歴のうちの一方又は両方を提供する分析物レベルモジュールと、
薬剤名又は識別子、服用された薬剤のタイプ、服用の日時、及び服用された投与量のうちの少なくとも１つを含む、前記患者が服用する１つ又は複数の薬剤の薬剤データを提供する薬剤モジュールと、
前記患者による炭水化物摂取データを提供する栄養モジュールと、
前記ユーザの歩数又は前記ユーザによって行われた運動の持続時間のうちの少なくとも一方を含むフィットネスデータを提供するフィットネスモジュールと、
を含む、システム。
【請求項１７】
前記コンピュータシステムによって提示される前記インタラクティブユーザインタフェースは、前記ユーザが、（１）ユーザ選択の時間スパンに基づいて前記健康情報のデータ履歴を選択すること、（２）前記分析物測定装置の設定を個人化すること、（３）前記データモジュール内の前記健康情報の特定のデータにフラグを付けること、又は（４）前記データモジュール内の前記健康情報の特定のデータに関連する質問を提出することのうちの１つ又は複数を実行できるようにする、請求項１６に記載のシステム。
【請求項１８】
前記コンピュータシステムは、前記計算装置の表示画面に、（ｉ）前記データモジュールのそれぞれの概要健康情報、（ｉｉ）前記データモジュールのうちの１つ又は複数からの前記健康情報のグラフィック分析、（ｉｉｉ）前記グラフィック分析の近傍に提示され
る時間タグ付きデータとして、テキスト、画像、又はオーディオデータのうちの少なくとも１つをユーザが追加できるようにする、前記データモジュールに対応するタグの選択リスト、及び（ｉｖ）前記グラフィック分析として表示する前記健康情報を選択するための、前記データモジュールに対応する選択ボタンの１つ又は複数を表示するように構成される、請求項１６に記載のシステム。
【請求項１９】
前記複数のデータモジュールは、
（ｉ）テキスト、画像、又はオーディオデータを含むユーザ入力データ、及び（ｉｉ）前記計算装置の表示画面に表示される前記インタラクティブユーザインタフェースのスナップショット画像のうちの一方又は両方を含むジャーナルデータを提供するジャーナルモジュールと、
ユーザ選択に基づいて、テーブル、テキストでの説明、グラフ、又はそれらの組み合わせを含む前記健康情報のうちの少なくともいくらかを外部ファイルにエクスポートするリポートモジュールであって、前記ユーザは、前記外部ファイルに含める前記健康情報の時間期間及びタイプを選択するリポートモジュールと、
のうちの１つ又は複数を含む、請求項１６に記載のシステム。
【請求項２０】
前記コンピュータシステムは、前記計算装置の表示画面に、
（ｉ）ユーザが前記ユーザ入力データのテキストを入力できるようにするダイアログボックス、（ｉｉ）前記ジャーナルデータが前記ジャーナルモジュールに入力された対応する日時を有する前記ジャーナルデータのリスト、及び（ｉｉｉ）ユーザが前記ジャーナルデータ内で検索するテキストを入力できるようにするか、又は前記ジャーナルデータ内で検索するキーワードをキーワードリストから選択できるようにする検索ボックスと、
前記外部ファイルに含める所定の健康情報を含むリポートフォーマットの選択可能リストと、
のうちの１つ又は複数を表示するように構成される、請求項１９に記載のシステム。